(57)【特許請求の範囲】
【請求項１】
床面に設置される基台(2)と該基台に搭載され列設された遊技台(3)により横方向に延びる遊技壁体(4)を構成し、遊技壁体の正面側にそれぞれの遊技者の遊技空間(P)を形成し、遊技壁体(4)の背面側に電子部品を含む機器の放熱による暖気を滞留する暖気室(8)を区成した遊技島において、
前記暖気室(8)から基台(2)を経て遊技空間(P)に連通する通気路(12)を形成すると共に、それぞれの遊技空間(P)に向かう外部開口(16)を設け、前記通気路(12)に設けた送風機(13)により、少なくとも暖気室(8)の暖気(H)を前記外部開口(16)から遊技空間(P)に向けて吹き出すように構成し、
前記通気路(12)は、前記暖気室(8)の下側に配置された樋装置(9)の側壁(9b)と、該側壁(9b)から離間して平行に配置された幕板(14)との間に形成され、基台(2)の横方向に沿って暖気を充満させる壁状区成空間(S)を構成して成ることを特徴とする遊技島における通風装置。
【請求項２】
前記送風機(13)は、送風方向を正逆切換え自在とした駆動装置を設けており、正方向の送風とするように駆動したときは、暖気室(8)の暖気(H)を通気路(12)の外部開口(16)から遊技空間(P)に向けて吹き出し、逆方向の送風とするように駆動したときは、遊技空間(P)の空気(C)を通気路(12)の外部開口(16)から吸引して暖気室(8)に導くように構成して成ることを特徴とする請求項１に記載の遊技島における通風装置。
【請求項３】
前記壁状区成空間(S)の上部に位置して横方向に間隔をあけて暖気室(8)に連通する内部開口(15)を開設すると共に、該内部開口(15)に臨む送風機(13)を壁状区成空間(S)に内装しており、前記壁状区成空間(S)の下部に位置して前記外部開口(16)を開設して成ることを特徴とする請求項１又は２に記載の遊技島における通風装置。
【請求項４】
前記壁状区成空間(S)の奥行き幅は、樋装置(9)の側壁(9b)に固着されたガイド板(17)により、前記内部開口(15)が位置する上部から、前記外部開口(16)が位置する下部に向けて、次第に幅を減じるように形成されて成ることを特徴とする請求項３に記載の遊技島における通風装置。
【請求項５】
前記幕板(14)を着脱自在に構成し、該幕板を取外したとき、前記壁状区成空間(S)の正面側の全体が開放されるように構成して成ることを特徴とする請求項１、２、３又は４に記載の遊技島における通風装置。
【発明の詳細な説明】
【技術分野】
【０００１】
本発明は、パチンコやパチスロ等の遊技台を列設した遊技島における通風装置に関し、冬期においては遊技島の背面側の暖気を利用することにより、遊技者の足元を好適に暖房すると共に、遊技台の背面に臨む電子部品を含む機器を暖気から保護し、夏期においては冷房されたパチンコホールの冷気を遊技島の背面側に導くことにより、前記電子機器を保護できるようにした装置に関する。
【背景技術】
【０００２】
従来、パチンコ等の遊技島に関して、遊技者の足元を暖房する装置が提案されている。しかしながら、従来の装置は、単に、電熱ヒータ等の暖房器具を遊技島の床面近傍に付設したものに過ぎず、省エネやその他の実用性に対する熟慮を欠如している。
【先行技術文献】
【特許文献】
【０００３】
【特許文献１】特開平８−２６６７３９号公報
【発明の概要】
【発明が解決しようとする課題】
【０００４】
パチンコホールにおける遊技島は、床面に設置される基台と該基台に搭載され列設されたパチンコやパチスロ等の遊技台により横方向に延びる遊技壁体を構成し、遊技壁体の正面側に遊技者の遊技空間を形成し、遊技壁体の背面側に遊技台を作動する電子部品を含む種々の機器を臨ませた背後室が区成されている。
【０００５】
本発明者の知見によれば、前記背後室は、多数の機器から放熱された暖気を充満する暖気室を形成しており、極めて温度が高く、このような高温雰囲気により、繊細な電子部品を含む機器の作動トラブルや寿命低下を招来するおそれがある。
【０００６】
従って、電子部品を多用したパチンコやパチスロ等の遊技島は、背後室により構成された暖気室の暖気を滞留させず、頻繁に通気性を確保することが望ましい。
【０００７】
その一方において、上述のように、遊技島に臨んで長時間の遊技を楽しむ遊技者に対する配慮からは、冬期等に遊技者の足元を暖房すべきニーズがある。しかしながら、上記特許文献のように電熱ヒータを付設することは、省エネの要求に反するばかりか、各遊技者毎にヒータを設置する必要があるので、高額の設備投資を要し、現実的でない。
【０００８】
本発明者は、遊技島の背後室には暖気を滞留する暖気室が形成されていることに鑑み、繊細な電子機器を保護するためには、通気性の確保が好ましく、その際、通気性に伴い排出される暖気は、有効活用できることを知得し、しかも、冬期と夏期ではパチンコホールの冷暖房による環境条件が異なるので、最も効率的で現実的に最も優れた効果をもたらす装置を検討した結果、本発明を提案するものである。
【課題を解決するための手段】
【０００９】
そこで、本発明が手段として構成したところは、床面に設置される基台と該基台に搭載され列設された遊技台により横方向に延びる遊技壁体を構成し、遊技壁体の正面側にそれぞれの遊技者の遊技空間を形成し、遊技壁体の背面側に電子部品を含む機器の放熱による暖気を滞留する暖気室を区成した遊技島において、前記暖気室から基台を経て遊技空間に連通する通気路を形成すると共に、それぞれの遊技空間に向かう外部開口を設け、前記通気路に設けた送風機により、少なくとも暖気室の暖気を前記外部開口から遊技空間に向けて吹き出すように構成し、前記通気路は、前記暖気室の下側に配置された樋装置の側壁と、該側壁から離間して平行に配置された幕板との間に形成され、基台の横方向に沿って暖気を充満させる壁状区成空間を構成して成る点にある。
【００１０】
前記送風機は、送風方向を正逆切換え自在とした駆動装置を設けることが好ましく、このように構成することにより、正方向の送風とするように駆動したときは、暖気室の暖気を通気路の外部開口から遊技空間に向けて吹き出し、逆方向の送風とするように駆動したときは、遊技空間の空気を通気路の外部開口から吸引して暖気室に導くことが可能になる。
【００１１】
本発明の好ましい実施形態において、前記通気路は、暖気室の下側に配置されることにより基台の一部を構成する樋装置の側壁と、該側壁から離間して平行に配置された幕板との間に形成され、基台に沿って横方向に延びる壁状区成空間を構成し、前記壁状区成空間の上部に位置して横方向に間隔をあけて暖気室に連通する内部開口を開設すると共に、該内部開口に臨む送風機を壁状区成空間に内装しており、前記壁状区成空間の下部に位置して前記外部開口を開設している。これにより、横方向に長く形成された遊技島に対して、暖気室から導入された暖気を壁状区成空間の全体に良好に充満させることが可能となり、これにより、各遊技台に臨む各遊技者に対する暖気の分配を良好に行うことができる。
【００１２】
前記壁状区成空間の奥行き幅は、樋装置の側壁に固着されたガイド板により、前記内部開口が位置する上部から、前記外部開口が位置する下部に向けて、次第に幅を減じるように形成することが好ましく、これにより、送風機の駆動源が特に大出力のものでなくても、外部開口からの暖気の吹き出しが良好となる。
【００１３】
更に、本発明の実施形態は、前記幕板を着脱自在に構成し、該幕板を取外したとき、前記壁状区成空間の正面側の全体が開放されるように構成しており、これにより、送風機等のメンテナンスを容易とする。
【発明の効果】
【００１４】
請求項１に記載の本発明によれば、冬期等において、遊技島１の背後室５に形成される暖気室８に滞留する暖気を有効に利用し、該暖気を遊技空間に向けて吹き出すように構成しているので、電熱ヒータのような電力消費を伴わないで、遊技者に暖房を与えることができ、省設備と省エネに寄与する。しかも、これにより、パチンコホール等の店舗内における暖房を低減することが可能となるので、更に省エネに貢献できる。更に、暖気室８の暖気を外部に排出することにより、背後室５に滞留する空気の入れ替えが行われるので、遊技台３の背面に臨む多数の電子部品を含む機器を高温雰囲気から保護することが可能になる。特に、パチンコ球の樋装置(9)と幕板(14)の間に形成した通気路(12)により壁状区成空間(S)を構成し、該空間(S)に暖気を充満させることにより充満圧力を蓄積するので、多数の遊技台に対応する開口(16)に向けて暖気を均等に分配することができるという利点があり、更に、幕板(14)を取外すと、通気路(12)が全面開放されるので、メンテナンスが容易であるという顕著な効果がある。
【００１５】
請求項２に記載の本発明によれば、冬期等の場合は、暖気室８の暖気を前述のような暖房用送風に利用できる一方において、夏期等の場合は、送風機１３を逆方向に駆動させることにより、冷房された遊技空間の冷気を背後室５に送ることができるので、該背後室５の温度低下が可能となり、遊技台３の背面に臨んで発熱する電子機器を好適に冷却することができる。
【００１６】
請求項３に記載の本発明によれば、送風機１３により暖気室８から内部開口１５に進入する暖気は、直ちに外部開口１６から排出されることなく、壁状区成空間Ｓに充満するように構成されているので、充満圧力を蓄積した状態で、暖気を多数の遊技台３に対応する外部開口１６に向けて均等に分配できるという利点がある。
【００１７】
請求項４に記載の本発明によれば、壁状区成空間Ｓに充満し、充満圧力を蓄積した暖気は、ガイド板１７により次第に奥行き幅を減じるように形成された壁状区成空間Ｓの下部に向けて収斂されるので、高出力の送風機１３でなくても、所望圧力で暖気を外部開口１６から吹き出すことが可能になる。
【００１８】
請求項５に記載の本発明によれば、
幕板１４を着脱自在に構成しており、該幕板１４を取外すことにより、送風機１３を装備した通気路１２の正面側の全体を開放できるので、メンテナンスが容易となる。
【図面の簡単な説明】
【００１９】
【図１】本発明の第１実施形態に係る通風装置を備えた遊技島の１例を示す斜視図である。
【図２】本発明の通風装置を備えた遊技島の断面図である。
【図３】本発明の第１実施形態に係る通風装置に関して、壁状区成空間を構成する樋装置と幕板を分解した状態を示す斜視図である。
【図４】通風装置の要部を示しており、送風機により正方向の送風を行う際の作用を示す断面図である。
【図５】通風装置の要部を示しており、送風機により逆方向の送風を行う際の作用を示す断面図である。
【発明を実施するための形態】
【００２０】
以下図面に基づいて本発明の好ましい実施形態を詳述する。
【００２１】
図１及び図２に示すように、パチンコやパチスロ等の遊技島１は、床面に設置される基台２と該基台２に搭載され列設された複数の遊技台３により横方向に延びる遊技壁体４を構成し、遊技壁体４の正面側に遊技者の遊技空間Ｐを形成し、背面側に遊技台３を作動させる機器等が臨む背後室５を区成している。
【００２２】
図例の場合、遊技島１は、背合わせ状に対面する一対の遊技壁体４、４を設置し、その間に背後室５を区成しているが、正面側だけに遊技壁体４を形成し、背後を店舗の壁面に臨ませ、該遊技壁体４の背部に背後室５を形成したものでも良い。
【００２３】
前記背後室５は、各遊技台３を作動する多くの電子部品を含む機器の放熱を受け、更に、背後室５の頂部に配置された球供給用の樋路６に付設された結露防止用ヒータ７の放熱を受けることにより加熱され、高温の暖気Ｈを滞留する暖気室８を区成している。
【００２４】
前記基台２は、背後室５の下側に配置された戻球を回収するための樋装置９と、該樋装置９を床面に支持するための袴材１０を備えている。この樋装置９は、図３及び図４に示すように、底壁９ａの両側に起立する両側壁９ｂ、９ｂの上端から外向きフランジ状に折曲された翼片９ｃを形成し、該翼片９ｃに設置された棚部材１１の上に遊技台３を搭載している。
【００２５】
このような構成とされた遊技島１において、前記暖気室８から基台２を経て遊技空間Ｐに連通する通気路１２が形成されており、該通気路１２に送風機１３を設けている。
【００２６】
前記通気路１２は、暖気室８の下側に配置された樋装置９の側壁９ｂと、該側壁９ｂから外側に離間して平行に配置された幕板１４との間に形成され、基台２に沿って横方向に延びる壁状区成空間Ｓを構成している。この壁状区成空間Ｓは、上部に位置して内側に内部開口１５を開設することにより暖気室８に連通され、下部に位置して外側に外部開口１６を開設することにより遊技空間Ｐに連通されている。
【００２７】
図示実施形態の場合、前記内部開口１５は、樋装置９の側壁９ｂに横方向に間隔をあけて複数の内部開口１５が開設され、通気路１２の内部から前記内部開口１５に臨むように複数の送風機１３が設置されている。
【００２８】
前記通気路１２を構成する壁状区成空間Ｓは、奥行き幅が前記内部開口１５を設けた上部から、前記外部開口１６を設けた下部に向けて、次第に幅を減じるように形成するため、樋装置９の側壁９ｂと袴材１０の間に傾斜するガイド板１７を設けている。
【００２９】
前記ガイド板１７は、袴材１０と一体に形成され、該ガイド板１７の上縁部を樋装置９の側壁９ｂの外側に添設した状態で、ボルト・ナット等の固着手段１８により固着される。これにより、図４に示すように、床上に直立姿勢とされる袴材１０と樋装置９の側壁９ｂとの間で、樋装置９の両側に位置するガイド板１７がハ字状のフレーム構造を構成し、遊技島１の荷重を強固に支持する。
【００３０】
図示実施形態において、袴材１０の上縁部は、図４（Ｂ）に示すように、垂直部１０ａから外向きに折曲された水平部１０ｂと、該水平部１０の外縁部から起立方向に折曲されたリブ部１０ｃを備え、前記垂直部１０ａから水平部１０ｂに延びるスリット１６ａを形成している。スリット１６ａは、図３に示すように、袴材１０の長手方向に密に間隔をあけて多数形成され、前記外部開口１６を構成する。
【００３１】
前記リブ部１０ｃに向けて上方から対向する帯壁１９が棚部材１１から垂設され、樋装置９の側壁９ｂと前記帯壁１９の間を連結する補強フレーム２０を設けている。補強フレーム２０は、前記帯壁１９の内側に臨んで折曲形成された挿入溝２１を構成する。
【００３２】
これに対して、前記幕板１４は、前記挿入溝２１に挿脱自在に挿入される上縁部２２と、前記リブ部１０ｃの内側で水平部１０ｂに載置される下縁部２３を備えており、着脱自在となるように構成されている。取付けに際しては、幕板１４を傾斜姿勢として、上縁部２２を前記挿入溝２１に奥深く挿入した状態で、下縁部２３を内側に向けて移動すると、下縁部２３がリブ部１０ｃを乗り越えて水平部１０ｂの上方に位置し、その後、幕板１４の自重により下縁部２３を水平部１０ｂに載置させると、上縁部２２が帯壁１９に係止し、下縁部２３がリブ部１０ｃに係止することにより、幕板１４の垂直姿勢を保持する。反対に、取外しに際しては、幕板１４を持ち上げることにより、上縁部２２を前記挿入溝２１に奥深く挿入すると共に下縁部２３を外側に引き出すと、下縁部２３がリブ部１０ｃを乗り越えて脱出するので、上縁部２２を挿入溝２１から引き抜けば良い。
【００３３】
前記幕板１４の下縁部２３は、図３及び図４（Ｂ）に示すように、水平縁部に窓孔１６ｂを形成している。窓孔１６ｂは、図３に示すように、前記スリット１６ａの複数に跨がる開口を備えており、該窓孔１６ｂとスリット１６ａを上下から連通させることにより前記外部開口１６を構成する。
【００３４】
前記送風機１３は、電気モータ等の正逆回転駆動方向を切換え自在とする駆動源１３ａと、該駆動源１３ａにより回転駆動されるファン１３ｂを備えており、内部開口１５と外部開口１６の間における送風を可能とし、空気の流束を良好に形成するように傾斜姿勢で装着されている。
【００３５】
（本発明の作用）
上述のように、遊技島１の背後室５は、各遊技台３を作動する多くの電子部品を含む機器の放熱を受けると共に、球供給用の樋路６に付設された結露防止用ヒータ７の放熱を受けることにより加熱され、高温の暖気Ｈを滞留する暖気室８を区成している。
【００３６】
（冬期等における作用）
ところで、パチンコホール等の店舗は、例えば冬期においては、店舗内を暖房しているが、省電力が求められる今日、暖房の消費エネルギーを抑制することが好ましく、その場合、特に、遊技者の足元が寒くなる。
【００３７】
そこで、このような場合は、図４に示すように、送風機１３を正方向の送風とするように駆動すれば、暖気室８の暖気Ｈが内部開口１５から通気路１２に吸引され、外部開口１６から遊技者の足元に向けて吹き出されるので、遊技者の足元を好適に暖房することができる。
【００３８】
この際、図示実施形態の場合、通気路１２により遊技島１の横方向に延びる壁状区成空間Ｓを形成し、送風機１３を内部開口１５に臨むように設けているので、内部開口１５から進入した暖気Ｈが直ちに外部開口１６から排出されることなく、壁状区成空間Ｓに充満する。そして、壁状区成空間Ｓは、ガイド板１７を介して外部開口１６に向けて次第に奥行き幅を減じるように形成されているので、充満圧力を蓄積した暖気を外部開口１６に向けて圧力を伴って吹き出すことができ、これにより、列設された多数の遊技台３に向けて均等な暖気の送風を行うことが可能となる。
【００３９】
このようにして、従来の電熱ヒータ等のような大きな電力を消費することなく、送風機１３を駆動するだけの僅かなエネルギーで、良好な暖房を行うことができる。
【００４０】
更に、このような正方向の送風は、背後室５に滞留する暖気Ｈを外部に向けて排出し、遊技島１の上部の開放空間等から新たな外気を導入し、暖気室８の空気の入れ替えを行うので、遊技台３を作動する電子機器等のオーバーヒートの防止に貢献できるという利点がある。
【００４１】
（夏期等における作用）
その一方において、例えば夏期においては、店舗内に冷房が求められるため、暖気室８の暖気を利用する暖房作用は必要でない。しかしながら、上述のように、遊技島１の背後室５は、加熱された高温の暖気Ｈを滞留する暖気室８を区成するので、遊技台３を作動する電子機器が悪影響を受け、オーバーヒートの原因となる。
【００４２】
そこで、このような場合は、図５に示すように、送風機１３を逆方向の送風とするように駆動すれば、冷房された遊技空間Ｐの冷気Ｃが外部開口１６から通気路１２に進入し、内部開口１５から暖気室８に導かれるので、背後室５を好適に冷却し、遊技台３を作動する電子機器等をオーバーヒートから保護することが可能となる。
【００４３】
（装置の保守管理）
上述のように、幕板１４は着脱自在に構成されており、取外したとき、通気路１２を構成する壁状区成空間Ｓの正面側の全体を開放することができる。幕板１４を取外すと、送風機１３が完全に露呈されるので、メンテナンスが容易となる。
【符号の説明】
【００４４】
１  遊技島
２  基台
３  遊技台
４  遊技壁体
５  背後室
６  球供給用樋路
７  ヒータ
８  暖気室
９  樋装置
９ａ  樋装置の底壁
９ｂ  樋装置の側壁
９ｃ  樋装置の翼片
１０  袴材
１０ａ  袴材の垂直部
１０ｂ  袴材の水平部
１０ｃ  袴材のリブ部
１１  棚部材
１２  通気路（Ｓ  壁状区成空間）
１３  送風機
１３ａ  送風機の駆動源
１３ｂ  送風機のファン
１４  幕板
１５  内部開口
１６  外部開口
１６ａ  スリット
１６ｂ  窓孔
１７  ガイド板
１８  固着手段
１９  帯壁
２０  補強フレーム
２１  挿入溝
２２  幕板の上縁部
【図１】
0005947556.tif 000002
【図２】
0005947556.tif 000003
【図３】
0005947556.tif 000004
【図４】
0005947556.tif 000005
【図５】
0005947556.tif 000006